(57)【要約】      （修正有）【課題】付勢による回動前の位置にある回動体の保持を解くためのこの付勢の向きと逆向きの押圧操作のストロークをできるだけ少なくする。【解決手段】本体Ｓに回動可能に組み合わされると共に付勢により回動される回動体を、この回動前の位置に解除可能に保持するロック構造である。回動体の回動に連動して回転される第一ギヤ１と、第一ギヤ１に噛み合う第二ギヤ２と、第一ギヤ１及び第二ギヤ２のいずれか一方に備えられるカム手段５と、このカム手段５に案内される摺動子６ａと第一ギヤ１及び第二ギヤ２の他方への被軸支部６ｂとを備えた連係部材６とを有している。カム手段５には、前記付勢により摺動子６ａが係合されると共に、この付勢による回動前の位置にある回動体Ｍをこの付勢の向きと逆向きに押圧操作したときにこの係合を解くように構成された保持部５ａが備えられている。【選択図】図４
2010070956.tif 000002
【特許請求の範囲】
【請求項１】
本体に回動可能に組み合わされると共に付勢により回動される回動体を、この回動前の位置に解除可能に保持するロック構造であって、
回動体の回動に連動して回転される第一ギヤと、
第一ギヤに噛み合う第二ギヤと、
第一ギヤ及び第二ギヤのいずれか一方に備えられるカム手段と、
このカム手段に案内される摺動子と第一ギヤ及び第二ギヤの他方への被軸支部とを備えた連係部材とを有しており、
前記カム手段には、前記付勢により摺動子が係合されると共に、この付勢による回動前の位置にある回動体をこの付勢の向きと逆向きに押圧操作したときにこの係合を解くように構成された保持部が備えられていることを特徴とする回動体のロック構造。
【請求項２】
第一ギヤの回転中心と連係部材の被軸支部及びカム手段の保持部のいずれか一方との間の距離よりも、
これらの他方と第二ギヤの回転中心との間の距離が大きくなっていることを特徴とする請求項１に記載の回動体のロック構造。
【請求項３】
カム手段は、摺動子を案内する周回溝に囲繞されてなる略ハート形をなす島状部を備え、このハート形の尖端と反対の側に凹み状をなす保持部が形成されていると共に、
島状部には、この保持部から前記尖端側に続く溝状をなす摺動子のバイパス路が形成されており、
前記周回溝よりバイパス路が浅く形成されていることを特徴とする請求項１又は請求項２に記載の回動体のロック構造。
【請求項４】
請求項１〜請求項３のいずれか１項に記載の回動体を、本体に備えられた収納部内にあって、付勢による回動前の位置でフラップ端を下方に向けると共に付勢による回動によりフラップ端を収納部の中央側に移動させる容器保持用のフラップとしてなることを特徴とする収納装置。
【請求項５】
収納部の中央部を挟んだ対向位置にそれぞれフラップを有すると共に、第二ギヤに噛み合う第三ギヤと、第三ギヤに噛み合う第四ギヤとを備えており、
一方のフラップを第一ギヤの回転によって回動させ、かつ、他方のフラップを第四ギヤの回転によって回動させてなることを特徴とする請求項４に記載の収納装置。
【請求項６】
請求項１〜請求項３のいずれか１項に記載の回動体を、付勢による回動前の位置で本体の開口を閉じるリッドとしてなることを特徴とする収納装置。
【請求項７】
第二ギヤに噛み合う第三ギヤと、第三ギヤに噛み合う第四ギヤとを備えると共に、本体の開口の一部を第一ギヤの回転によって回動されるリッドにより、かつ、本体の開口のその余の箇所を第四ギヤ回転によって回動されるリッドにより、付勢による回動前の位置で閉塞するようにしてなることを特徴とする請求項６に記載の収納装置。
【発明の詳細な説明】
【技術分野】
【０００１】
この発明は、本体に回動可能に組み合わされると共に付勢により回動される回動体を、この回動前の位置に解除可能に保持するロック構造、及びかかるロック構造を利用して、フラップやリッドなどの回動体を、付勢による回動前の位置に解除可能に保持するようにした収納装置の改良に関する。
【背景技術】
【０００２】
回転可能にボックスに支持された蓋体を、閉位置で保持すると共に、そこからさらに閉方向に蓋体を押し込んだときにこの保持を解くロック手段を備えてなる収納装置がある。（特許文献１参照）
【０００３】
かかる収納装置におけるロック手段は、蓋体側に備えられたハート型カム溝のハート形の凹みに、ボックス側に備えられたロックレバーの先端をこの蓋体を開方向に付勢する付勢手段の付勢により掛合させる構成となっている。閉位置にある蓋体とボックスとの間にはこの状態からさらに蓋体を閉方向に押し込み操作可能とするクリアランスが確保されており、このクリアランスを利用して前記付勢に抗して蓋体を閉方向に押し込むと、ハート型カム溝のハート形の凹みからロックレバーの先端を抜け出しロックが外れて蓋体の開方向への付勢による回動がなされるようになっている。
【特許文献１】実開平７−３７８１２号公報
【発明の開示】
【発明が解決しようとする課題】
【０００４】
このように前記特許文献１に示される収納装置のようなロック構造にあっては、付勢による回動前の位置での回動体としての蓋体のロックを解くために前記押し込み操作のためのクリアランスを必要とするところであるが、このクリアランスはできるだけ小さくすることが望まれるところである。典型的には、かかるクリアランスを小さくすることで、付勢による回動前の位置における回動体と本体との意匠面の連続性を高く確保させたり、両者の間に目立つ隙間が生じないようにすることができる。
【０００５】
そこでこの発明は、この種のロック構造及びそれを用いて構成される収納装置において、付勢による回動前の位置にある回動体の保持を解くためのこの付勢の向きと逆向きの押圧操作のストロークをできるだけ少なくできるようにする点にある。
【課題を解決するための手段】
【０００６】
前記課題を達成するために、この発明にあっては、回動体のロック構造を、以下の（１）〜（５）の構成を備えたものとした。
（１）本体に回動可能に組み合わされると共に付勢により回動される回動体を、この回動前の位置に解除可能に保持するロック構造であって、
（２）回動体の回動に連動して回転される第一ギヤと、
（３）第一ギヤに噛み合う第二ギヤと、
（４）第一ギヤ及び第二ギヤのいずれか一方に備えられるカム手段と、
このカム手段に案内される摺動子と第一ギヤ及び第二ギヤの他方への被軸支部とを備えた連係部材とを有しており、
（５）前記カム手段には、前記付勢により摺動子が係合されると共に、この付勢による回動前の位置にある回動体をこの付勢の向きと逆向きに押圧操作したときにこの係合を解くように構成された保持部が備えられている。
【０００７】
カム手段の保持部に連係部材の摺動子を係合させた状態から、前記付勢の向きと逆向きに回動体を押圧操作すると、第一ギヤとこれに噛み合う第二ギヤとを連係部材の被軸支部とカム手段の保持部とを近づける向きに回転させることができる。すなわち、連係部材の被軸支部とカム手段の保持部とは第一ギヤの回転量に第二ギヤの回転量を加えた分近づく。これにより、回動体の付勢による回動のきっかけとなるロック解除操作としての前記押圧操作のストロークをできるだけ少なくさせることができる。
【０００８】
かかる第一ギヤの回転中心と連係部材の被軸支部及びカム手段の保持部のいずれか一方との間の距離よりも、これらの他方と第二ギヤの回転中心との間の距離が大きくなるようにしておけば、付勢による回動前の位置にある回動体をこの付勢の向きと逆向きに押圧操作したときの第一ギヤの回転によって第二ギヤ側に備えられた被軸支部又は保持部を第一ギヤの側に大きく移動させることができる。また、カム手段には、摺動子を案内する周回溝に囲繞されてなる略ハート形をなす島状部を備え、このハート形の尖端と反対の側に凹み状をなす保持部を形成させておくと共に、島状部にこの保持部から前記尖端側に続く溝状をなす摺動子のバイパス路を形成させ、前記周回溝よりこのバイパス路を浅く形成させておけば、摺動子を保持部に係合させて付勢による回動前の位置に位置づけられた回動体をこの付勢の向きに誤って操作してしまったときに、このバイパス路を通じて摺動子を保持部から逃すことができ、このような誤操作時に摺動子などの破損を生じないようにすることができる。
【０００９】
かかるロック構造を構成する回動体を、本体に備えられた収納部内にあって、付勢による回動前の位置でフラップ端を下方に向けると共に付勢による回動によりフラップ端を収納部の中央側に移動させる容器保持用のフラップとすれば、付勢による回動前の位置にあるフラップをこの付勢の向きと逆向きに押圧操作することで、かかる付勢によりフラップ端を収納部の中央側に移動させることができる。この場合に、収納部の中央部を挟んだ対向位置にそれぞれフラップを備えさせると共に、第二ギヤに噛み合う第三ギヤと、第三ギヤに噛み合う第四ギヤとを設け、一方のフラップを第一ギヤの回転によって回動させ、かつ、他方のフラップを第四ギヤの回転によって回動させるようにすれば、収納部の中央部を挟んだ一方側に位置されるフラップに対する前記押圧操作によって、第三ギヤと第四ギヤを介して収納部の中央部を挟んだ他方側に位置されるフラップをこの一方側に位置されるフラップと逆向きに回動させて、両側のフラップのフラップ端間で収納された容器を挟むようにすることができる。
【００１０】
また、かかるロック構造を構成する回動体を、付勢による回動前の位置で本体の開口を閉じるリッドとすれば、付勢による回動前の位置にあるリッドをこの付勢の向きと逆向きに押圧操作することで、かかる付勢により本体の開口を開放する向きに回動させることができる。この場合に、第二ギヤに噛み合う第三ギヤと、第三ギヤに噛み合う第四ギヤとを設け、本体の開口の一部を第一ギヤの回転によって回動されるリッドにより、かつ、本体の開口のその余の箇所を第四ギヤ回転によって回動されるリッドにより、付勢による回動前の位置で閉塞するようにすれば、二枚のリッドの一方に対する前記押圧操作によって、第三ギヤと第四ギヤを介してリッドの他方をこの一方のリッドと逆向きに回動させて、本体の開口を観音開き状に開放させることができる。
【発明の効果】
【００１１】
この発明にかかるロック構造及びそれを用いて構成される収納装置によれば、付勢による回動前の位置にある回動体、この回動体としてのフラップ、ないしはこの回動体としてのリッド保持を解くための、この付勢に向きと逆向きの押圧操作のストロークをできるだけ少なくすることができる。これにより、回動体とこれを支持する本体との意匠面の連続性を高く確保させることができ、また、両者の見切り部に目立つ隙間を生じさせないようにすることができる。
【発明を実施するための最良の形態】
【００１２】
以下、図１〜図１０に基づいて、この発明にかかるロック構造Ｒ及びそれを利用して構成された収納装置Ｈについて説明する。なお、ここで図１〜図９は収納装置Ｈの一例を、図１０はかかる収納装置Ｈの他の一例を示している。これらは、自動車などの車両の内装品として用いられるのに適した構造となっている。
【００１３】
具体的には、図１および図４並びに図１０は回動体Ｍをロック構造Ｒにより付勢による回動前の位置づけた収納装置Ｈの様子を、図２はかかる収納装置Ｈの構成各部品を分離させた状態として、図３はかかる収納装置Ｈの要部を断面にした状態とすると共に前記フラップ１８の付勢による回動後の位置におけるその輪郭を想像線で示して、図５は付勢による回動前の位置にあった回動体Ｍとしてのフラップ１８をこの付勢に抗する向きに押し込んだ直後の様子を、図６は付勢によりかかる回動体Ｍが回動しきったときの様子を、図７は図６の状態から回動体Ｍとしてのフラップ１８を付勢に抗して押し込みきったときの様子を、それぞれ示している。また、図８はロック構造Ｒを構成するカム手段５を拡大して、また、図９はかかるカム手段の変更例を示している。
【００１４】
この実施の形態にかかるロック構造Ｒは、本体Ｓに回動可能に組み合わされると共に付勢により回動される回動体Ｍを、この回動前の位置に解除可能に保持するものである。また、この実施の形態にかかる収納装置Ｈは、かかるロック構造Ｒを利用して、フラップ１８やリッド１９などの回動体Ｍを、付勢による回動前の位置に解除可能に保持するようにしたものである。
【００１５】
具体的には、図１〜図９に示される例にあっては、収納装置Ｈは、収納部Ｈａ内に容器保持用のフラップ１８を有しており、付勢による回動前の位置でこのフラップ１８をそのフラップ端１８ａを下方に向けた姿勢に保持するようにしている。（図１）そして、この付勢による回動前の状態において、収納部Ｈａ内を幅広く使用可能とすると共に、付勢による回動後の状態において、フラップ１８のフラップ端１８ａによって収納部Ｈａに起立状態に入れ込まれた容器の側部を支持するようになっている。具体的には、図１〜図９に示される例にあっては、フラップ１８はフラップ端１８ａとなる板一端に弧状に成形された縁部１８ｂを持った板状をなすと共に、板他端側において本体Ｓに回動可能に組み合わされており、付勢による回動後の状態においてフラップ端１８ａによって図示しない容器の側部を支持するようになっている。
【００１６】
また、図１０に示される例にあっては、収納装置Ｈは、付勢による回動前の位置で本体Ｓの開口を閉じるリッド１９を備えており、前記ロック構造Ｒによってこのリッド１９をこの回動前の位置に解除可能に保持するようにしている。図１０に示される例のこのリッド１９以外の構造は図１〜図１０に示される例と実質的に同一である。
【００１７】
かかるロック構造Ｒは、第一ギヤ１と、第二ギヤ２と、カム手段５と、連係部材６とを備えている。
【００１８】
図示の例ではさらに、第三ギヤ３と第四ギヤ４を含んでロック構造Ｒが構成されている。第一ギヤ１は第二ギヤ２に噛み合い、第二ギヤ２は第三ギヤ３に噛み合い、第三ギヤ３は第四ギヤ４に噛み合っている。図示の例では、本体Ｓは、上面を開放させた箱状をなすように構成されている。
【００１９】
図１〜図９に示される例では、収納部Ｈａの中央部を挟んだ対向位置にそれぞれフラップ１８が備えられている。具体的には、図示の例では、本体Ｓは上面を開口１７させた方形箱状をなすように構成されており、四つの側板１４、１５と底板１６とを備えている。この四つの側板１４、１５のうち、対向位置にある一対の側板１４、１４の一方の外側に、前記ロック構造Ｒが備え付けられている。また、二枚のフラップ１８はそれぞれ、このロック構造Ｒが備えられた側板１４とこれに対向する側板１４との間に略亘る長さと、その余の一対の側板１５、１５間の距離の略半分の最大幅とを備えた板状主体１８ｃと、この板状主体１８ｃの幅方向に亘る端部のそれぞれにおいてこの板状主体１８ｃの裏面から突き出すように備えられるブラケット部１８ｄとを備えている。そして、図示の例では、かかる二枚のフラップ１８は、付勢による回動前の位置において板状主体１８ｃを縦向きに配し、二枚のフラップ１８の間の空間を幅広く使用できるようにしている。（図１、図３）かかる二枚のフラップ１８の一方は、ロック構造Ｒが備えられた側板１４側においてこの側にあるブラケット部１８ｄを第一ギヤ１の回転軸１ａに接続させており、また、この側板１４に対向する側板１４側においてこの側にあるブラケット部１８ｄを第一ギヤ１の回転軸１ａを含む仮想の直線を軸中心線とする軸体７によって本体Ｓに回動可能に組み合わされている。また、かかる二枚のフラップ１８の他方は、ロック構造Ｒが備えられた側板１４側においてこの側にあるブラケット部１８ｄを第四ギヤ４の回転軸４ａに接続させており、また、この側板１４に対向する側板１４側においてこの側にあるブラケット部１８ｄを第四ギヤ４の回転軸４ａを含む仮想の直線を軸中心線とする軸体８によって本体Ｓに回動可能に組み合わされている。このように構成された収納装置Ｈにあっては、前記ロック構造Ｒによって、付勢による回動前の位置に保持されたフラップ１８をこの付勢の向きと逆向きに押圧操作することで、かかる付勢によりフラップ端１８ａを収納部Ｈａの中央側に移動させることができる。図示の例では、かかるフラップ端１８ａに板状主体１８ｃの長さ方向において間隔を開けて二箇所の弧状に成形された縁部１８ｂが設けられており、二枚のフラップ１８により収納部Ｈａ内において二つの容器を保持するようになっている。かかる押圧操作の操作量（ストローク）は、後述するロック構造Ｒの機能により最小に設定させることができ、したがって、この押圧操作のために設けられるクリアランスを必要最小限に留めることができる。また、図示の例では、収納部Ｈａの中央部Ｈｂを挟んだ一方側に位置されるフラップ１８に対する前記押圧操作によって、第三ギヤ３と第四ギヤ４を介して収納部Ｈａの中央部Ｈｂを挟んだ他方側に位置されるフラップ１８をこの一方側に位置されるフラップ１８と逆向きに回動させて、両側のフラップ１８、１８のフラップ端１８ａ間で収納された容器を挟むようにすることができる。
【００２０】
また、図１０に示される例では、二枚のリッド１９、１９によって、本体Ｓの開口１７を閉塞するようにしている。すなわち、図１０に示される例では、本体Ｓの開口１７の一部を一方のリッド１９により、かつ、本体Ｓの開口１７のその余の箇所を他方のリッド１９とにより、付勢による回動前の位置で閉塞するようにしている。具体的には、図１０に示される例では、本体Ｓは図１〜図１０に示される例と同様に上面を開口１７させた方形箱状をなすように構成されており、四つの側板１４、１５と底板１６とを備えている。この四つの側板１４、１５のうち、対向位置にある一対の側板１４、１４の一方の外側に、前記ロック構造Ｒが備え付けられている。また、二枚のリッド１９、１９はそれぞれ、このロック構造Ｒが備えられた側板１４とこれに対向する側板１４との間に略亘る長さと、その余の一対の側板１５、１５間の距離の略半分の幅とを備えた板状主体１９ａと、この板状主体１９ａの幅方向に亘る端部のそれぞれにおいてこの板状主体１９ａの裏面から突き出すように備えられるブラケット部１９ｃとを備えている。そして、図示の例では、かかる二枚のリッド１９、１９は、付勢による回動前の位置において板状主体１９ａを横向きに配し、この状態において板状主体１９ａの長さ方向に亘る側縁１９ｂの一方を本体Ｓの開口１７の幅方向略中程の位置で他方のかかる側縁１９ｂの一方に近接させ合わせて、かかる開口１７を閉塞させるようになっている。かかる二枚のリッド１９、１９の一方は、ロック構造Ｒが備えられた側板１４側においてこの側にあるブラケット部１９ｃを第一ギヤ１の回転軸１ａに接続させており、また、この側板１４に対向する側板１４側においてこの側にあるブラケット部１９ｃを第一ギヤ１の回転軸１ａを含む仮想の直線を軸中心線とする図示しない軸体によって本体Ｓに回動可能に組み合わされている。また、かかる二枚のリッド１９、１９の他方は、ロック構造Ｒが備えられた側板１４側においてこの側にあるブラケット部１９ｃを第四ギヤ４の回転軸４ａに接続させており、また、この側板１４に対向する側板１４側においてこの側にあるブラケット部１９ｃを第四ギヤ４の回転軸４ａを含む仮想の直線を軸中心線とする図示しない軸体によって本体Ｓに回動可能に組み合わされている。このように構成された収納装置Ｈにあっては、前記ロック構造Ｒによって、付勢による回動前の位置にあるリッド１９をこの付勢の向きと逆向きに押圧操作することで、かかる付勢により本体Ｓの開口１７を開放する向きに回動させることができる。かかる押圧操作の操作量（ストローク）は、後述するロック構造Ｒの機能により最小に設定させることができ、したがって、この押圧操作のために設けられるリッド１９と本体Ｓとの間のクリアランス、典型的には、リッド１９の裏面と本体Ｓの開口１７の開口１７縁との間の隙間を必要最小限に留めることができる。また、図示の例では、二枚のリッド１９、１９の一方に対する前記押圧操作によって、第三ギヤ３と第四ギヤ４を介してリッド１９の他方をこの一方のリッド１９と逆向きに回動させて、本体Ｓの開口１７を観音開き状に開放させることができる。
【００２１】
第一ギヤ１は、回動体Ｍに直結されており、この回動体Ｍの回動に連動して回転される。つまり、第一ギヤ１はギア列の中で起動ギヤとなっている。なお、図示の例では、第四ギヤ４が接続されたフラップ１８を付勢に抗する向きに押圧操作してもロック構造Ｒによるフラップ１８の付勢による回動前の位置での保持が解かれるようになっており、この第四ギヤ４も起動ギヤとして機能し得るようになっている。図１〜図１０に示される例では、回動体Ｍとしての対向位置にある二枚のフラップ１８、１８の一方が回動されると第一ギヤ１が回動され、第二ギヤ２はこの第一ギヤ１に噛み合っていることから、フラップ１８の回動に連動して第二ギヤ２が回転されるようになっている。図示の例では、ロック構造Ｒが備えられる本体Ｓの側板１４の外面側に、この側板１４の外面に軸線を直交させるように配される回転軸１ａ、２ａ、３ａ、４ａをもって、第一ギヤ１と第二ギヤ２、さらに第三ギヤ３と第四ギヤ４が備えられている。第一ギヤ１と第四ギヤ４は第二ギヤ２及び第三ギヤ３よりも本体Ｓの開口１７側に位置されている。第二ギヤ２と第三ギヤ３は第一ギヤ１と第四ギヤ４の間に配されている。
【００２２】
図示の例では、かかる第一ギヤ１の回転軸１ａをバネ巻回部に通すようにしてセットされると共に、バネ一端をこの第一ギヤ１に止め、バネ他端を本体Ｓの側板に止めたねじりコイルバネ９によって第一ギヤ１には図４における反時計回りの向きの付勢力が作用されるようになっており、このバネ９の付勢による第一ギヤ１の回転によって回動体Ｍとしてのフラップ１８の一方が付勢により回動されるようになっている。また、図示の例では、第四ギヤ４の回転軸４ａをバネ巻回部に通すようにしてセットされると共に、バネ一端をこの第四ギヤ４に止め、バネ他端を本体Ｓの側板に止めたねじりコイルバネ１０によって第四ギヤ４には図４における時計回りの向きの付勢力が作用されるようになっており、このバネ１０の付勢による第四ギヤ４の回転によって回動体Ｍとしてのフラップ１８の他方も付勢により回動されるようになっている。その一方で、第一ギヤ１の前記付勢による回転を後述するカム手段５と連係部材６により解除可能に停止させておくことで、二枚のフラップ１８、１８の双方を付勢による回動前の位置、つまり、フラップ端１８ａを下方に向けた位置に位置づけさせることができるようになっている。
【００２３】
カム手段５は、第一ギヤ１及び第二ギヤ２のいずれか一方に備えられる。図示の例では、かかるカム手段５は、第二ギヤ２に備えられている。また、かかるカム手段５には、前記付勢により後述する連係部材６の摺動子６ａが係合されると共に、この付勢による回動前の位置にある回動体Ｍとしてのフラップ１８の一方をこの付勢の向きと逆向きに押圧操作したときに、これに連動して起動又は従動される第一ギヤ１とこれに噛み合って第一ギヤ１と逆向きに回転される第二ギヤ２とによって、この係合を解くように構成された保持部５ａが備えられている。すなわち、保持部５ａは第二ギヤ２の回転中心ｚと異なる位置に設けられている。
【００２４】
図示の例では、かかるカム手段５の保持部５ａは、フラップ１８が付勢による回動前の位置にある状態において、（図４）第一ギヤ１の回転中心ｙと第二ギヤ２の回転中心ｚとを結ぶ仮想の直線ｘを挟んだ一方側（図示の例では上側）であって、前記付勢の向きと逆向きのフラップ１８の押圧操作によりこれに連動して前記バネ９の付勢に抗する図４における時計回りの向きに第一ギヤ１が回転されこれに伴なって反時計回りの向きに第二ギヤ２が回転されたときに、この第一ギヤ１の回転中心ｙに保持部５ａを近づける側に設けられている。
【００２５】
図示の例では、前記カム手段５は、第二ギヤ２の一面、図示の例では本体Ｓの側板１４に向き合わないが第二ギヤ２の外面に形成された周回溝５ｂと、この周回溝５ｂに溝一端５ｇを連続させた弧状溝５ｆと、この周回溝５ｂに囲繞された島状部５ｉとを備えてなる。島状部５ｉは略ハート形をなすように形成されており、このハート形の尖端５ｊを第二ギヤ２の反時計回り方向に向け、弧状溝５ｆはこのハート形の尖端５ｊ側で周回溝５ｂに連通し、また、このハート形の尖端５ｊと反対の側に凹み状をなす前記保持部５ａが形成されている。そして、第一ギヤ１に対する前記バネ９の付勢によって、フラップ１８がそのフラップ端１８ａを下方に向けた状態において、島状部５ｉの保持部５ａに連係部材６の摺動子６ａが引っかかって（このときの摺動子６ａを図８において符号ａで示す。）このバネ９の付勢による第一ギヤ１の反時計回りの向きの回転が阻止されるようになっている。（図４）
【００２６】
周回溝５ｂは、このように島状部５ｉの保持部５ａに連係部材６の摺動子６ａが引っかかった状態から、前記バネ９の付勢に抗する時計回りの向きに第一ギヤ１がやや回転されこれに伴い第二ギヤ２が反時計回りの向きにやや回転されると、つまり、フラップ端１８ａを下方に向けたフラップ１８の一方を収納部Ｈａの中央側から離れる向きに押圧操作すると、保持部５ａから島状部５ｉを挟んだ一方側（図示の例では下側）にある復路５ｃに摺動子６ａを案内するようになっている。（図５、このときの摺動子６ａを図８において符号ｂで示す。）図示の例では、このように摺動子６ａが周回溝５ｂの復路５ｃに入り込むと弧状溝５ｆの溝他端５ｈ側にこの摺動子６ａが至る位置までの第一ギヤ１の反時計回りの向きへの回転が許容され、（図６）これによってフラップ１８が付勢により略水平位置まで回動されるようになっている。また、周回溝５ｂは、弧状溝５ｆの溝他端５ｈ側に連係部材６の摺動子６ａが至ってフラップ１８が略水平位置に位置づけられた状態からこのフラップ１８をそのフラップ端１８ａを下方に向ける回動前の位置に向けて操作することにより、前記バネ９の付勢に抗する時計回りの向きに第一ギヤ１が回転されこれに伴い第二ギヤ２が反時計回りの向きに回転されると、島状部５ｉを挟んだ他方側（図示の例では上側）にある往路５ｄに摺動子６ａを案内するようになっている。図示の例では、島状部５ｉのハート形の尖端５ｊにおいて復路５ｃと往路５ｄとの間に往路５ｄを段差下とする段差５ｅが形成されており、このときに摺動子６ａは復路５ｃに入り込まないようになっている。そして、かかる周回溝５ｂにおけるこの往路５ｄの終端に摺動子６ａが至った状態から（図７、このときの摺動子６ａを図８において符号ｃで示す。）フラップ１８の前記操作を止めると前記バネ９の付勢により反時計回りの向きに回動される第一ギヤ１によって時計回りの向きに回動される第二ギヤ２によって摺動子６ａが再び保持部５ａに引っかかり付勢による回動前の位置にフラップ１８を再び位置づけさせるようになっている。（図４）
【００２７】
図９に示されるように、カム手段５を構成する島状部５ｉに、前記保持部５ａから前記尖端５ｊ側に続く溝状をなすと共に、周回溝５ｂよりも浅く形成された摺動子６ａのバイパス路５ｋを形成させておけば、摺動子６ａを保持部５ａに係合させて付勢による回動前の位置に位置づけられた回動体Ｍとしてのフラップ１８をこの付勢の向きに誤って操作してしまったときに、このバイパス路５ｋを通じて摺動子６ａを保持部５ａから逃して付勢によりフラップ１８が回動されるようにすることができ、このような誤操作時に摺動子６ａなどの破損を生じないようにすることができる。この例では、摺動子６ａを出没可能に連係部材６に支持させるようにしておくことで、周回溝５ｂより浅く構成されるバイパス路５ｋへの誤操作時の摺動子６ａの入り込みを実現できる。一方、かかるバイパス路５ｋは周回溝５ｂより浅く構成されるので、通常時はバイパス路５ｋに摺動子６ａは入り込むことがない。
【００２８】
連係部材６は、前記カム手段５に案内される摺動子６ａと第一ギヤ１及び第二ギヤ２の他方への被軸支部６ｂとを有している。図示の例では、連係部材６は、棒状をなすように構成されていると共に、その一端部を被軸支部６ｂとしてこの一端部で第一ギヤ１にこの第一ギヤ１の回転中心ｙから偏心した位置に回動可能に組み付けられ、かつ、その他端部に第二ギヤ２の前記カム手段５の周回溝５ｂ及び弧状溝５ｆに入り込みこれらに案内されるピン状をなす摺動子６ａを備えた構成となっている。かかる被軸支部６ｂを支持する回動軸６ｃは第一ギヤ１の回転軸１ａと平行であり、また、ピン状をなす摺動子６ａもこの第一ギヤ１の回転軸１ａと平行をなすように形成されている。（図２）
【００２９】
図示の例では、かかる連係部材６の被軸支部６ｂは、フラップ１８が付勢による回動前の位置にある状態において、第一ギヤ１の回転中心ｙと第二ギヤ２の回転中心ｚとを結ぶ直線ｘを挟んだ一方側（図示の例では上側）であって、前記付勢の向きと逆向きのフラップ１８の押圧操作によりこれに連動して前記バネ９の付勢に抗する図４における時計回りの向きに第一ギヤ１が回転されこれに伴なって反時計回りの向きに第二ギヤ２が回転されたときに、この第二ギヤ２の回転中心ｚに被軸支部６ｂを近づける側に設けられている。
【００３０】
カム手段５の保持部５ａに連係部材６の摺動子６ａを係合させた状態から、前記付勢の向きと逆向きに図１〜図９の例にあっては回動体Ｍとしてのフラップ１８の一方を、図１０の例にあっては回動体Ｍとしてのリッド１９の一方を押圧操作すると、第一ギヤ１とこれに噛み合う第二ギヤ２を連係部材６の被軸支部６ｂとカム手段５の保持部５ａとを近づける向きに回転させることができる。図示の例では、第一ギヤ１は図４における時計回りの向きに第二ギヤ２は図４における反時計回りの向きに回転されて、連係部材６の被軸支部６ｂとカム手段５の保持部５ａとが第一ギヤ１の回転量に第二ギヤ２の回転量を加えた分近づく。これにより、回動体Ｍの付勢による回動のきっかけとなるロック解除操作としての前記押圧操作のストロークができるだけ少なくなるようにすることができる。
【００３１】
また、図示の例では、前記カム手段５の備えられた第二ギヤ２の回転中心ｚとこのカム手段５の保持部５ａとの間の距離が、第一ギヤ１の回転中心ｙと連係部材６の被軸支部６ｂとの間の距離よりも大きくなっている。（図４）これにより、図示の例では、付勢による回動前の位置にある回動体Ｍをこの付勢の向きと逆向きに押圧操作したときの第一ギヤ１の回転によって第二ギヤ２の保持部５ａを第一ギヤ１の側に大きく移動させて、前記押圧操作のストロークをできるだけ少なくし易くしている。
【００３２】
また、図示の例では、第二ギヤ２の下方においてこの第二ギヤ２に常時噛み合うピニオン１１が備えられていると共に、このピニオン１１が図示しないローターとこのローターを回転可能に支持すると共に粘性流体などの抵抗をこのローターの回転に作用させるステーター１２ａとからなるロータリーダンパー１２のこのローターの外端に備え付けられており、これにより第二ギヤ２の回転、つまり、ロック構造Ｒにより動作を制御される回動体Ｍの回動に制動力を作用させるようになっている。図示の例では、かかるロータリーダンパー１２はロック構造Ｒの備えられた側板１４との間に第二ギヤ２と第三ギヤ３とを挟むようにしてこの側板１４に取り付けられるカバー１３にステーター１２ａを組み付けて前記ピニオン１１を第二ギヤ２に噛み合わせている。
【図面の簡単な説明】
【００３３】
【図１】ロック構造Ｒを含んで構成された収納装置Ｈの一例を示した斜視構成図
【図２】同分解斜視構成図
【図３】同断面構成図
【図４】同側面構成図
【図５】同要部側面構成図
【図６】同要部側面構成図
【図７】同要部側面構成図
【図８】カム手段５の拡大構成図
【図９】カム手段５の変更例を示した拡大構成図
【図１０】ロック構造Ｒを含んで構成された収納装置Ｈの他の一例を示した側面構成図
【符号の説明】
【００３４】
Ｓ  本体
Ｍ  回動体
Ｒ  ロック構造
１  第一ギヤ
２  第二ギヤ
５  カム手段
５ａ  保持部
６  連係部材
６ａ  摺動子
【図１】
2010070956.tif 000003
【図２】
2010070956.tif 000004
【図３】
2010070956.tif 000005
【図４】
2010070956.tif 000006
【図５】
2010070956.tif 000007
【図６】
2010070956.tif 000008
【図７】
2010070956.tif 000009
【図８】
2010070956.tif 000010
【図９】
2010070956.tif 000011
【図１０】
2010070956.tif 000012